(57)【要約】【課題】気温や標高による気圧変動等の環境条件の変化にも、２度目の着火動作で確実に着火することができる液体燃料燃焼装置の着火方法を提供する。【解決手段】気化器２と、燃焼用空気を供給する燃焼用ファン７と、液体燃料を供給する電磁ポンプ４と、前記気化器２を加熱するためのシーズヒータ３を有し、シーズヒータ３で予熱完了温度Ｔ１まで加熱された気化器２内で電磁ポンプ４より供給された液体燃料を気化し、燃焼用ファン７により供給された燃焼用空気と混合して予混合気とし、バーナーヘッド９の炎孔１０から噴出したところを点火プラグ１１による高圧放電により着火燃焼させるものにおいて、１度目の着火動作で着火失敗した場合、再度シーズヒータ３に通電して気化器温度を１度目の予熱完了温度Ｔ１よりも高い第２の予熱完了温度Ｔ２まで上昇させてから、２度目の着火動作を行う。【選択図】        図１
2004286317.tif 000002
【特許請求の範囲】
【請求項１】
加熱手段により気化器を予熱し、該気化器の温度が予め設定された予熱完了温度まで上昇すると、着火動作を開始して前記気化器内に液体燃料と燃焼用空気を供給し、液体燃料を気化させると共に燃焼用空気と混合して予混合気とし、この予混合気に高圧放電により点火して着火燃焼させる液体燃料燃焼装置において、１度目の着火動作で着火に失敗した場合、気化器温度を１度目の予熱完了温度よりも高い第２の予熱完了温度に上昇させて２回目の着火動作を行うようにしたことを特徴とする液体燃料燃焼装置の着火方法。
【発明の詳細な説明】
【０００１】
【発明の属する技術分野】
本発明は、石油ファンヒータ等に用いられる液体燃料燃焼装置の着火方法に関するものである。
【０００２】
【従来の技術】
従来の石油ファンヒータ等に用いられる液体燃料燃焼装置の着火方法としては、気化器が加熱手段により予熱され、予め設定された予熱完了温度になると、液体燃料と燃焼用空気が気化器内に供給され、高圧放電を数秒間行うことにより着火される。着火すれば、そのまま運転し、着火に失敗した場合は、燃焼量を変更して再度着火動作を行うようにしている（例えば、特許文献１参照）。
【０００３】
【特許文献１】
特開平２−２３８２５１号公報（第１−２頁、第３図）
【０００４】
【発明が解決しようとする課題】
上記のように、従来の石油ファンヒータ等に用いられる液体燃料燃焼装置の着火方法によれば、最初の着火動作で失敗した場合は、燃焼量を変更して再度着火動作を行うようにしている。
【０００５】
しかしながら、気化器が予め設定された予熱完了温度まで予熱されると、電磁ポンプにより液体燃料が供給され、気化器内で気化し、燃焼用ファンにより供給された燃焼用空気と混合して予混合気となり、そのとき、気化器は燃焼用ファンにより供給された燃焼用空気によって冷却される。また、燃焼用空気の供給量は燃焼用ファンの回転数により適切な空気比になるように制御されているが、気温や標高による気圧変動等の環境条件の変化により、燃焼用空気の供給量及び温度が変化するので、気化器の温度も上記環境条件により変化し、それに伴い予混合気の温度も変化する。
【０００６】
一方、予混合気の温度は高いほうが着火しやすい傾向があるため、最初の燃焼量を超えた燃焼量で着火させるようにすると、予混合気の温度がより低くなるために、２度目の着火動作でも着火できずに、停止してしまうことがあるという問題点があった。
【０００７】
本発明は、上記ような問題を解決する為のもので、気温や標高による気圧変動等の環境条件の変化によっても２度目の着火動作で確実に着火できるようにした液体燃料燃焼装置の着火方法を提供することを目的とする。
【０００８】
【課題を解決するための手段】
本発明に係る液体燃料燃焼装置の着火方法は、加熱手段により気化器を予熱し、該気化器の温度が予め設定された予熱完了温度まで上昇すると、着火動作を開始して前記気化器内に液体燃料と燃焼用空気を供給し、液体燃料を気化させると共に燃焼用空気と混合して予混合気とし、この予混合気に高圧放電により点火して着火燃焼させる液体燃料燃焼装置において、１度目の着火動作で着火に失敗した場合、気化器温度を１度目の予熱完了温度よりも高い第２の予熱完了温度に上昇させて２度目の着火動作を行うようにしたものである。
【０００９】
【発明の実施の形態】
実施の形態１．
以下、本発明の実施の形態について説明する。
図１は、本発明の実施の形態１を示す石油ファンヒーターの縦断面図である。図１において、１は石油ファンヒーターの本体、２は液体燃料を気化する気化器、３は気化器２の側壁部に鋳込まれた加熱手段としてのシーズヒータ、４は燃料パイプ５を介して燃料タンク６内の液体燃料を気化器２に供給する電磁ポンプ、７は空気通路８を介して燃焼用空気を気化器２に供給する燃焼用ファン、９は気化器２の上部に配設され、気化された液体燃料を燃焼させるバーナーヘッド、１０はバーナーヘッド９の側壁部に開けられた多数の炎孔、１１は炎孔１０から噴出する気化ガスに高圧放電により点火するための点火プラグ、１２は炎の有無および燃焼状態を検知して信号を出力する炎検知棒、１３は本体１背面に設けられた空気取入口１４から取り入れた外部空気と燃焼熱を混合して本体１前面に設けられた温風吹出口１５から放出させる対流用ファンである。
【００１０】
次に、上記構成からなる石油ファンヒーターの動作について説明する。
使用者が石油ファンヒーターの運転を開始するにあたり、運転スイッチ（図示せず）を押すと、気化器２の予熱が開始される。気化器２の予熱が完了すると、燃焼に必要な液体燃料は電磁ポンプ４で燃料パイプ５より、また燃焼用空気は燃焼用ファン７で空気通路８より適切な空気比で気化器２内へ供給される。
【００１１】
供給された液体燃料は、気化器２内で気化し、燃焼用空気と混合して予混合気とし、気化器２の上部に配設されたバーナーヘッド９の炎孔１０より噴出したところで、点火プラグ１１の高圧放電により着火されて燃焼する。燃焼中の炎の有無および燃焼状態は炎検知棒１２により検知される。バーナーヘッド９の燃焼熱は対流用ファン１３により本体１背面の空気取入口１４から取り入れられた外部空気と本体１内で混合されて適温の温風となり、本体１前面の温風吹出口１５から外部へ放出され、室内等を暖房する。
【００１２】
図２は本発明による着火動作のフローチャートである。
次に、図２のフローチャートを用いて本発明の着火方法を詳しく説明する。
まず、運転スイッチを押すと、気化器２のシーズヒータ３に通電され、気化器２の予熱が開始される（ステップＳ１）。予熱開始数分後、気化器温度が予め設定された第１の予熱完了温度Ｔ１に到達すると（ステップＳ２）、１度目の着火動作を行う（ステップＳ３）。
【００１３】
着火動作は、まず燃焼に必要な液体燃料は電磁ポンプ４の運転により、また燃焼用空気は燃焼用ファン７の運転により適切な空気比で気化器２内へ供給される。供給された液体燃料は、気化器２内で気化し、燃焼用空気と混合し予混合気となる。この予混合気は気化器２の上部に配設されたバーナーヘッド９の炎孔１０より噴出したところで、点火プラグ１１により高圧放電が数秒間行われ、その放電火花により着火される。
【００１４】
そして、炎検知棒１２からの検知信号により着火判定を行い（ステップＳ４）、炎有り及び燃焼状態安定と判定した場合は着火完了となり、そのまま通常燃焼に移行する（ステップＳ５）。炎無しもしくは燃焼状態不安定と判定した場合は、液体燃料と燃焼用空気の供給および点火プラグ１１の高圧放電が停止され、着火失敗となる。
【００１５】
着火動作が開始されると、前述したように、気化器２は燃焼用ファン７により供給された燃焼用空気によって冷却される。また、燃焼用空気の供給量は燃焼用ファン７の回転数により適切な空気比になるように制御されているものの、気温や標高による気圧変動等の環境条件の変化に伴い予混合気温度が変化する。
【００１６】
予混合気温度は高いほうが着火しやすい傾向があるため、予混合気温度が低いと、１度目の着火動作で着火できない場合がある。しかし、大半は１度目の着火動作で着火することができる。この場合、第１の予熱完了温度Ｔ１は従来の予熱完了温度と同じでよい。
【００１７】
ステップＳ４で、炎無しもしくは燃焼状態不安定と判定され、着火に失敗した場合は、再度シーズヒータ３に通電し、気化器２を予熱する（ステップＳ６）。そして、気化器温度が第１の予熱完了温度Ｔ１よりも高く設定された第２の予熱完了温度Ｔ２に到達すると（ステップＳ７）、２度目の着火動作を行う（ステップＳ８）。２度目の着火動作でも、上記最初の着火動作と同様に液体燃料と燃焼用空気が所定の空気比で気化器２内へ供給され、点火プラグ１１の高圧放電により着火する。
【００１８】
そして、炎検知棒１２からの信号により着火判定を行い（ステップＳ９）、炎有り及び燃焼状態安定と検知した場合は着火完了となり、そのまま通常燃焼に移行し（ステップＳ５）、炎無しもしくは燃焼状態不安定と検知した場合は、電磁ポンプ４および燃焼用ファン７への通電および点火プラグ１１の高圧放電が停止され、着火失敗となり、温風暖房機の運転をエラー停止する（ステップＳ１０）。
【００１９】
このように、２度目の着火動作は、気化器温度が１度目の着火動作の温度より高い第２の予熱完了温度Ｔ２に上昇させて行うため、予混合気温度も高くなり、予混合温度が高いほうが着火しやすくなるため、２度目の着火動作での着火失敗になる確率を低減させることが出来る。２度目の着火動作まで到達すると、運転を開始してから暖房を開始するまでの時間は従来の着火方法よりはやや延長されることになるが、従来の着火方法ではエラー停止となっていたものが、本発明のによる着火方法によれば、着火できる確率が増大し、着火失敗の確率をより低減することができる。
【００２０】
【発明の効果】
以上のように、本発明による液体燃料燃焼装置の着火方法よれば、１度目の着火動作で着火に失敗した場合、再度加熱手段により気化器温度を１度目の予熱完了温度より高い第２の予熱完了温度に上昇させてから、２度目の着火動作を行うことにより、着火できる確率が増大し、着火失敗の確率をより低減させることが出来る。
【図面の簡単な説明】
【図１】本発明の実施の形態１を示す石油ファンヒータの縦断面図である。
【図２】本発明による着火動作のフローチャートである。
【符号の説明】
２  気化器
３  シーズヒータ（加熱手段）
４  電磁ポンプ
７  燃焼用ファン
９  バーナーヘッド
１０  炎孔
１１  点火プラグ
１２  炎検知棒
【図１】
2004286317.tif 000003
【図２】
2004286317.tif 000004